(57)【特許請求の範囲】
【請求項１】
着用者の頭部に装着するカツラベース（１０）と、当該カツラベースに植えられた擬毛（２０）とを備えるカツラであって、
上記カツラベースの周囲領域の少なくとも一部において、当該カツラベースに植えられた擬毛（２０ａ）の根元を覆って所定幅の押さえ部材（３０）が、当該カツラベース（１０）上に固定されていることを特徴とする、カツラ。
【請求項２】
上記押さえ部材（３０）は、カツラベース周縁に沿って延在する外辺（３１）と、当該外辺に対向する内辺（３２）と、当該外辺および内辺を結ぶ左右の側辺（３３、３４）とを有していて、
上記押さえ部材（３０）は、内辺（３２）の近傍では糸でカツラベース（１０）に固定されていて、外辺（３１）および左右の側辺（３３、３４）の近傍では、擬毛（２０）によってカツラベース（１０）および押さえ部材（３０）を結び付けることでカツラベース（１０）に固定されている、請求項１記載のカツラ。
【請求項３】
上記押さえ部材（３０）の外辺（３１）、内辺（３２）、および左右の側辺（３３、３４）で囲まれた内部領域の任意の箇所（３６）において、さらに、擬毛（２０）によってカツラベース（１０）および押さえ部材（３０）が結び付けられている、請求項２記載のカツラ。
【請求項４】
上記カツラベース（１０）と押さえ部材（３０）の間にネット部材（４０）が配置されており、当該ネット部材の端縁（４０ａ）は、カツラベースの周縁（１０ａ）を越えて外方へ突出している、請求項１〜３のいずれか１つに記載のカツラ。
【発明の詳細な説明】
【技術分野】
【０００１】
本発明は、カツラベースに擬毛を植えて構成されるカツラに関する。
【背景技術】
【０００２】
カツラには、部分カツラと全頭カツラがある。部分カツラは、頭部禿部のみをカバーしたり、頭部自毛の白髪隠しや、分け目部分のボリュームアップを目的として使用される。一方、全頭カツラは、文字通り着用者の頭部全体を覆う。
【０００３】
一般的にカツラは、それを着用していることを他人に視認され難いことが求められる（迷彩効果）。この点に関して、全頭カツラは頭部自毛状態には影響されないが、部分カツラの場合にはカツラ周縁と頭部自毛との間に境目が存在するので、迷彩効果を高めるための工夫が施されることが多い。
【０００４】
カツラ周縁と頭部自毛と境目付近では、カツラに植えた擬毛と頭部自毛とを馴染ませなければ、この部分が容易に分離（毛割れ）し、カツラの装着が視認され易くなるという問題がある。そこで、特許文献１では、カツラベースの周縁に植設される擬毛の剛性を、天然毛髪（頭部自毛）の剛性よりも低く設定することが開示されている。
【０００５】
また、特許文献２では、カツラの生え際部分に、糸径の細い擬毛を植えることが開示されている。
【先行技術文献】
【特許文献】
【０００６】
【特許文献１】国際公開 ＷＯ２００７／０９４２８９号
【特許文献２】特開２００８−２７４４８２号
【０００７】
本来的に、カツラベースに植える擬毛は、頭部自毛とは異なるものであって自毛と同じ性質を示さないが故に、自毛と擬毛との馴染みは良くない。特に、カツラベース周縁に植えられる擬毛にウェーブやカールが付されている場合には、図２（ｂ）に示したように、カツラベース周縁付近に植えた擬毛が立ち上がって、空洞が生じてしまう（トンネル現象と呼ばれる）。
このようなトンネル現象は、カツラ周縁に頭部自毛よりも低い曲げ剛性値を有する擬毛を植えたり（特許文献１）、カツラ周縁に糸径の細い擬毛を植えたり（特許文献２）するだけでは解消されない。
【発明の概要】
【発明が解決しようとする課題】
【０００８】
したがって、本発明の目的は、カツラ周縁領域における頭部自毛と擬毛の馴染み具合が自然で、上記トンネル現象が生じることもないカツラを提供することである。
【課題を解決するための手段】
【０００９】
本発明のカツラは「着用者の頭部に装着するカツラベース」と「当該カツラベースに植えられた擬毛」とを備える。カツラベースの周囲領域の少なくとも一部において、植えられた擬毛の根元を覆って所定幅の押さえ部材が、カツラベース上に固定されている。
【発明の効果】
【００１０】
上記構成を備えた本発明のカツラにおいては、カツラベース周縁に植えた擬毛は、その根元部が押さえ部材でカツラベース側へと押さえ付けられているので、上記トンネル現象を防止することができる。また、押さえ付けられた擬毛は、カツラベースの表面に沿う方向に外方へと突出するが、この方向は、頭部に残存した自毛が延びる方向に近いので、擬毛と地毛が馴染み易く、自然な外観を実現することができる。
【図面の簡単な説明】
【００１１】
【図１】本発明の一実施形態に係るカツラの斜視図。
【図２】本発明によるトンネル現象防止効果を、従来例と対比して説明する図。
【図３】本発明においてカツラベースと押さえ部材との位置関係および固定方法の一例を説明する図。
【図４】迷彩ネットを併用する例を説明する図。
【発明を実施するための形態】
【００１２】
本発明の実施形態を、添付の図面を参照して以下に説明する。図１は、本発明の一実施形態に係るカツラを説明する斜視図である。カツラは、着用者の頭部に装着するカツラベース１０に擬毛２０（天然毛または人工毛）を植えて構成される。図１では、擬毛２０を一部だけ描いているが、実際には、擬毛２０はカツラ１０の全体に植えられる。
【００１３】
《カツラベース１０および押さえ部材３０》
カツラベース１０の周囲領域の少なくとも一部には、所定幅の押さえ部材３０が固定される。図１（ｂ）は、図１（ａ）中のｂ−ｂ線断面図を示している。この断面図に示すように、押さえ部材３０は、カツラ周縁に植えられた擬毛２０ａの根元を覆うように延在している。この後、押さえ部材３０の全体がカツラベース１０上に固定されることにより（詳細は後述する）、カツラ周縁の擬毛２０ａは、ほぼカツラベース１０の延在方向に沿って（矢印Ａ方向に）カツラ周縁から突出することとなる。
【００１４】
カツラベース１０には、全体に渡って擬毛２０が植えられるが、押さえ部材３０によって押さえ付けられる擬毛は、参照数字２０ａで示している。擬毛２０と２０ａは、同じ擬毛であっても、異なる擬毛であってもよい。
【００１５】
押さえ部材３０の下方側に植えられる擬毛２０ａの本数（密度）は任意に設定することができるが、例えば２８株（５６本）／ｃｍ２であって、カツラベース１０の他の領域に植えられる擬毛２０の本数（密度）とは無関係に設定される。
【００１６】
《従来例との比較による本発明の効果》
このような構成による本発明の効果を、従来例と比較して、図２に示している。すなわち、図２（ａ）の本発明では、カツラ周縁の擬毛２０ａがカツラベース１０の延在方向に沿って外方へ突出するが、この方向は、頭部に残存した自毛の延在方向に近い。したがって、擬毛２０ａと自毛との馴染みが良好になる。
これに対して、図２（ｂ）の従来例では、カツラ周縁の擬毛が上方に向かって突出し易く、この方向は、頭部に残存した自毛の延在方向と大きく異なる。その結果、カツラ周縁の自毛が立ち上がってトンネルが形成されたような状態となり（トンネル現象）、不自然な外観となってしまう。
本発明では、従来例で見られるようなトンネル現象を有効に防止し、自然な外観を実現できる。
【００１７】
《押さえ部材３０の位置および固定方法》
図３（ａ）は、カツラベース１０と押さえ部材３０との位置関係を示している。押さえ部材３０は、カツラベース１０の周囲領域において、その少なくとも一部に存在していればよく、具体的な位置は任意に設定できる。すなわち、押さえ部材３０は上記トンネル現象を防止したい任意の位置に設ければよい。例えば図３（ａ）に示したように、後頭部付近だけに設けてもよいし、カツラ全周に渡って配置してもよい。
【００１８】
図示の例では、押さえ部材３０は略矩形である。図３（ｂ）に示したように、押さえ部材３０は、「カツラベース周縁に沿って延在する外辺３１」と「外辺３１に対向する内辺３２」と「外辺３１および内辺３２を結ぶ左右の側辺３３、３４」とを有している。
押さえ部材３０は、内辺３２の近傍では縫製糸を用いてカツラベース１０に縫い付けられる（縫着）。したがって、図１（ｂ）に示したように、カツラベース１０と押さえ部材３０との間の領域において、擬毛２０ａをカツラベース１０に植えることができる。その後、押さえ部材３０をカツラベース１０に押さえ付けて、擬毛２０ａの根元がカツラベース１０と押さえ部材３０との間に挟み込まれた状態として、押さえ部材３０の他辺（外辺３１および側辺３３、３４）を固定する。
他辺（外辺３１および側辺３３、３４）の固定は、カツラベース１０に植える擬毛２０を利用することが好ましい。具体的には、次に説明する通りである。
【００１９】
図３（ｂ）において、押さえ部材３０の「外辺３１」および「左右の側辺３３、３４」の近傍では、２点鎖線の仮想線で示したラインに沿った適宜の複数位置において、擬毛２０を用いて押さえ部材３０とカツラベース１０を結び付ける（結着）。図３（ｃ）は、図３（ｂ）中のｃ−ｃ線断面図を示している。この断面図に示したように、擬毛２０を植込み固定する際に、同時に押さえ部材３０とカツラベース１０を結び付けて固定する。具体的な結び方は、この分野で知られている適宜の方法で行えばよい。
【００２０】
以上を纏めると、図３（ｂ）において、内辺３２に沿う破線で示した位置では、縫製糸を用いた縫い付けを行い（縫着）、他の辺に沿う二点鎖線で示した仮想ライン上では、適宜の間隔をおいて擬毛による結び付けを行う（結着）。このようにすることで、次のような、カツラ製作工程上のメリットがある。
すなわち、まずカツラベース１０に押さえ部材３０を縫い付けたものを準備して、カツラベース１０と押さえ部材３０との間の領域に擬毛２０ａを植えることができる（図１ｂ参照）。その後、カツラベース１０の他の領域にも擬毛２０を植えることとなるが、その際に、「擬毛２０の植え付け」と「押さえ部材３０とカツラベース１０の結着」を同時並行的に行うことができ、作業効率が良い。
【００２１】
《近傍位置の意味》
上に説明したように、図３（ｂ）において「縫着位置を示す破線」および「結着位置を示す２点鎖線」は、いずれも押さえ部材３０の外周縁から「近傍位置」に存在する。ここで言う「近傍位置」とは、特定の位置（押さえ部材３０の外周縁からの距離）に限定されるものではない。押さえ部材３０をカツラベース１０に固定する際に、押さえ部材３０の下方に位置する擬毛２０ａの根元を押さえ付ける効果が得られれば足りる。例えば、押さえ部材３０の外周縁からの距離は、０〜７ｍｍ程度に設定することができる。
【００２２】
なお、カツラベース周縁の擬毛２０ａを押さえ付けてトンネル現象を防止する等の観点からは、上記固定方法に限定されることなく、任意の方法で、押さえ部材３０をカツラベース１０に固定することが可能である。
【００２３】
以上のようにして、略矩形の押さえ部材３０はその全周に渡ってカツラベース１０に固定されるので、その下に挟み込まれる擬毛２０ａを十分に押さえ付けて上記トンネル現象を防止することができる。なお、図３（ｂ）中に複数点在して示した結着箇所３６においても、擬毛２０を用いた結着を行うと、押さえ部材３０の押さえ付け効果をさらに高めることができる。
【００２４】
《迷彩ネット４０を併用する例》
以上に説明した実施形態に対して、迷彩ネット４０を追加してカツラ周縁における迷彩効果を高める例を、図４に示した。図４（ｂ）は、図４（ａ）中のｂ−ｂ線断面図を示している。
【００２５】
図４から分かるように、迷彩ネット４０は、カツラベース１０と押さえ部材３０の間に配置されており、迷彩ネットの端縁４０ａは、カツラベースの周縁１０ａを越えて外方へ突出している。迷彩ネット４０は、一点鎖線で示した縫着位置において、縫製糸でカツラベース１０に固定される（固定方法はこれに限られず、適宜の方法を採用可能である）。なお、図では迷彩ネット４０は２つ折り状態であるが、単に平坦な状態で固定されていてもよい。
図４（ｂ）では示していないが、迷彩ネット４０をカツラベース１０に固定した後、図１（ｂ）と同様に、擬毛２０、２０ａが植えられる。
【００２６】
このように迷彩ネット４０を併用することで、「押さえ付けによるトンネル現象の防止」および「ネット部材による迷彩効果」の２つが相まって、より一層自然な外観を実現することができる。
【００２７】
《カツラベース１０および押さえ部材３０の形状および材質等》
本発明はカツラ周縁において擬毛を押さえ付けることで自毛と擬毛の馴染みを良くしている点に特徴があり、したがって、部分カツラに適用するのに最も適している。しかし、全頭カツラに本発明の構成を適用することも可能である。
また、部分カツラの場合に、カツラベースの具体的形状は図示したものに限定されず、必要に応じて任意の形状とすることができる。
【００２８】
図示した実施形態では、押さえ部材３０として、略矩形のストリップ状部材を用いているが、カツラベース１０上に固定されて擬毛２０ａを押さえ付けることができるものであれば、その形状や材質は特定のものに限定されない。
【００２９】
カツラベース１０および押さえ部材３０の材質として、ネット部材や樹脂等、任意のものを採用可能であるが、両者を同じ材質で作るのが迷彩効果を高める上で有利である。
【符号の説明】
【００３０】
１０  カツラベース
２０  擬毛
３０  押さえ部材
３１  外辺
３２  内辺
３３、３４  側辺
３６  点在する結着箇所
４０  迷彩ネット
【要約】
【課題】カツラ周縁領域における頭部自毛と擬毛の馴染み具合が自然で、トンネル現象が生じることもないカツラを提供する。
【解決手段】
着用者の頭部に装着するカツラベース１０周囲領域の少なくとも一部において、植えられた擬毛２０ａの根元を覆うように、所定幅の押さえ部材３０をカツラベース１０に固定する。押さえ部材３０で押さえ付けられたカツラ周縁の擬毛２０ａは、カツラベース１０の延在方向に沿って外方へ突出するが、この方向は、頭部に残存した自毛の延在方向に近い。したがって、トンネル現象を防止することができるとともに、擬毛２０ａと自毛との馴染みも良好になる。
【選択図】図１【図１】
0005730431.tif 000002
【図２】
0005730431.tif 000003
【図３】
0005730431.tif 000004
【図４】
0005730431.tif 000005